(57)【要約】手乾燥装置は、乾燥室（２）と、ノズルと、電動送風機とを備えている。乾燥室（２）は手前側の壁面（２ａ）、奥側の壁面（２ｂ）、２つの内壁面（２ｃ、２ｄ）の４壁面により形成されている。ノズルは、手前ノズル（４ａ）と、奥ノズル（４ｂ）とから構成されている。そして奥ノズル（４ｂ）は、奥側の壁面（２ｂ）から突出した突出部（５）に設けられ、突出部（５）は２つの内壁面（２ｃ、２ｄ）それぞれから空間（７）を隔てて設けられている。
2013190792.tif 000002
【特許請求の範囲】
【請求項１】
上方の外部に向かって開口した手挿入口を有し前記手挿入口から手を抜き差しする乾燥室と、
前記乾燥室に向けて空気を噴出するノズルと、
前記ノズルへ前記空気を送出する電動送風機とを備えた手乾燥装置であって、
前記乾燥室は手前側の壁面、奥側の壁面、および前記手前側の壁面と前記奥側の壁面とを接続する２つの内壁面の４壁面により形成され、
前記ノズルは手前ノズルと奥ノズルとから構成され、
前記手前ノズルは前記手前側の壁面に設けられ、
前記奥ノズルは、前記奥側の壁面から突出した突出部に設けられ、
前記突出部は２つの前記内壁面それぞれから空間を隔てて設けられたことを特徴とする手乾燥装置。
【請求項２】
前記突出部は、２つの前記内壁面それぞれと対向する左側壁と右側壁とを有し、
前記左側壁から前記右側壁までの長さが前記突出部の下部から上部に向かうに従って長くなることを特徴とする請求項１に記載の手乾燥装置。
【請求項３】
前記突出部は、前記奥側の壁面から下り傾斜の天面を有したことを特徴とする請求項１に記載の手乾燥装置。
【請求項４】
前記天面と前記奥側の壁面とは、所定の角度にて接続されたことを特徴とする請求項３記載の手乾燥装置。
【請求項５】
前記奥ノズルは、前記手前ノズルよりも下方に前記空気を吹き出すことを特徴とする請求項１に記載の手乾燥装置。
【請求項６】
前記突出部は、前記乾燥室に溶着により接合されたことを特徴とする請求項１に記載の手乾燥装置。
【発明の詳細な説明】
【技術分野】
【０００１】
本発明は、手乾燥装置に関する。
【背景技術】
【０００２】
手乾燥装置は、水洗い等により濡れた手を乾燥させるために洗面所、トイレ、またはキッチン等において使用される。従来の手乾燥装置は、本体の上部に手の挿入口を設けた乾燥室を有している。そして乾燥室内には、壁面側の吹き出しノズル（手の甲側の吹き出しノズル）、手前側の吹き出しノズル（手の平側の吹き出しノズル）が設けられている。また乾燥室の側面は、開放されている。そして、乾燥室に手を挿入したときに、吹き出しノズルから手の両面に空気が吹き出されて、水滴を吹き飛ばして乾燥させる。このとき、手に当たった後の空気は、開放された側面から手乾燥装置外へ放出される（例えば、特許文献１参照）。【０００３】
このような従来の手乾燥装置においては、吹き出しノズルの吹き出し口の位置が手の平側、手の甲側ともに乾燥室の手前側の面と奥側の面との同一面にある。そのため乾燥空間が狭く、手の抜き差し作業時に手の甲側が乾燥室の奥側の面に当たりやすい。【０００４】
また、乾燥室の側面から排出される空気に乗って水滴が飛び出しやすい。そこで、乾燥室の側面を閉じた手乾燥装置も開発されている。しかしこのような側面を閉じた手乾燥装置では、乾燥室内に吹き出した空気が乾燥室の奥側の面を沿って上方に逃げるため、壁面に飛散した水が付着するという課題を有していた。
【先行技術文献】
【特許文献】
【０００５】
【特許文献１】特開平１０−７５９１５号公報
【発明の概要】
【０００６】
本発明の手乾燥装置は、上方の外部に向かって開口した手挿入口を有しその手挿入口から手を抜き差しする乾燥室と、乾燥室に向けて空気を送出するノズルと、ノズルから空気を送出する電動送風機とを備えている。乾燥室は手前側の壁面、奥側の壁面、および手前側の壁面と奥側の壁面とを接続する２つの内壁面の４壁面により形成されている。ノズルは、手前ノズルと奥ノズルとから構成されている。手前ノズルは、手前側の壁面に設けられている。奥ノズルは、奥側の壁面から突出した突出部に設けられている。そして突出部は、２つの内壁面それぞれから空間を隔てて設けられている。
【０００７】
このような手乾燥装置では、ノズルから吹き出した空気は手に当たった後、乾燥室の底面において反転して奥側の壁面に沿って上昇する。あるいはノズルから吹き出した空気は手に当たったときに反転して奥側の壁面に向かい、上昇する空気と合流する。そのため、奥側の壁面に沿って上昇する空気は奥ノズルを設けた突出部に遮られ、手挿入口側への空気の流れが遮断される。その結果、手乾燥装置を設置した壁面への水滴付着がなくなる。
【図面の簡単な説明】
【０００８】
【図１】図１は、本発明の実施の形態の手乾燥装置の斜視図である。
【図２】図２は、同手乾燥装置の側面構成図である。
【図３】図３は、同手乾燥装置の上面図である。
【図４】図４は、同手乾燥装置の正面構成図である。
【図５】図５は、同手乾燥装置の上部の部分斜視図である。
【図６】図６は、同手乾燥装置のノズル部の側面断面図ならびに拡大図である。
【図７】図７は、同手乾燥装置のノズル部の正面図である。
【発明を実施するための形態】
【０００９】
以下、本発明の実施の形態について図面を参照しながら説明する。
【００１０】
（実施の形態）
図１は本発明の実施の形態の手乾燥装置の斜視図、図２は同手乾燥装置の側面構成図である。図１、図２に示すように本実施の形態の手乾燥装置は乾燥室２と、電動送風機３と、ノズル４とを有している。ここで乾燥室２は、上方の外部２１に向かって開口した手挿入口１を有する。電動送風機３は、ノズル４へ空気２２を送出する。ノズル４は、乾燥室２の内部に向けて空気２２を噴出する。乾燥室２の手挿入口１において、手が抜き差しされる。そして乾燥室２内部において噴き出す０．５ｋＰａ〜１５ｋＰａの高圧の空気２２により、挿入した手が乾燥される。また手乾燥装置は、洗面所の壁面などに取り付けられ、正面（壁面方向と反対方向）に使用者が立って手を挿入する。
【００１１】
図２に示すように乾燥室２には、電動送風機３から送られる空気２２を乾燥室２に吹き出すノズル４が設けられている。ノズル４は、乾燥室２の手前側の壁面２ａに設けた手前ノズル４ａと、奥ノズル４ｂとから構成される。
【００１２】
また図１に示すように乾燥室２は、手前側の壁面２ａ（乾燥室２の前壁面）と、奥側の壁面２ｂ（乾燥室２の後壁面）と、手前側の壁面２ａと奥側の壁面２ｂとを接続する２つの内壁面２ｃ、２ｄとの４壁面から形成されている。
【００１３】
図３は、本発明の実施の形態の手乾燥装置の上面図である。図３に示すように乾燥室２の手前側の壁面２ａには、手前ノズル４ａが備えられている。複数の穴を有する手前ノズル４ａは、手前側の壁面２ａと一体化している。また奥側の壁面２ｂには、複数の穴を有する奥ノズル４ｂを備えた突出部５が乾燥室２内に突出して設けられている。突出部５は、鉛直断面がほぼ三角形の形状をしている。突出部５の奥ノズル４ｂの吹出口は、突出部５の頂部に設けられ、乾燥室２の奥側の壁面２ｂよりも使用者側に位置している。
【００１４】
突出部５の高さ、すなわち奥側の壁面２ｂから突出部５の頂部までの高さは、５ｍｍ−３０ｍｍ、好ましくは２０ｍｍとするとよい。突出部５の高さが５ｍｍ程度確保されると、奥側の壁面２ｂに沿って上昇する気流が遮られる効果が生まれる。一方、図２、図３に示すように突出部５の高さが大きく取られることによって、突出部５よりも乾燥室２の底面６側において、奥行き方向の空間が確保される。そのため手が乾燥室２に挿入されても、乾燥室２内において手が乾燥室２に触れ難くなる。ただし、突出部５の高さが大きくなるほど、手挿入口１は大きくされる必要があり、手乾燥装置が大きくなってしまう。従って、突出部５の高さは３０ｍｍ以下、好ましくは２０ｍｍ程度とすることによって、手乾燥装置の大きさが抑えられる。すなわち手乾燥装置は、薄型化される。
【００１５】
図４は、本発明の実施の形態の手乾燥装置の正面構成図である。突出部５は天面５ｂ、および乾燥室２の内壁面２ｃ、２ｄそれぞれと対向する側面である左側壁５ｃ、右側壁５ｄを有している。内壁面２ｃと左側壁５ｃとの間、および内壁面２ｄと右側壁５ｄとの間には、それぞれ空間７が設けられている。すなわち突出部５は、２つの内壁面２ｃ、２ｄそれぞれから空間７を隔てて設けられている。
【００１６】
空間７の幅は、５ｍｍ−６０ｍｍ、好ましくは４０ｍｍとするとよい。空間７の幅が５ｍｍ程度確保されることによって、突出部５において左右に分かれた空気２２が、上方へ抜けていく。一方、空間７の幅が大きく取られることによって乾燥室２の幅が確保される。そのため手が、乾燥室２に挿入されたとき、乾燥室２内において手が内壁面２ｃ、２ｄに触れ難くなる。ただし、空間７の幅が大きくなると、手挿入口１も大きくなり、手乾燥装置が大きくなってしまう。従って、空間７の幅は６０ｍｍ以下、好ましくは４０ｍｍ程度とすることによって、手乾燥装置の大きさが抑えられる。すなわち手乾燥装置は、小型化される。
【００１７】
そして図２に示すように、乾燥室２の手前側の壁面２ａと奥側の壁面２ｂとは、ほぼ平行になっている。また、手前ノズル４ａの吹出口の数は、奥ノズル４ｂの吹出口の数よりも多くする。すなわち、奥ノズル４ｂから吹き出す風量は、手前ノズル４ａから吹き出す風量よりも小さくなっている。
【００１８】
図２に示すように乾燥室２には、上部に手挿入口１が設けられ、手挿入口１から下方に向かって手が挿入される。ここで無理のない自然な作業姿勢から、手が手挿入口１から挿入されると、手の平側が手前（壁面方向と反対方向）にして挿入される場合が多い。すなわち、奥ノズル４ｂから吹き出す空気２２は手の甲側にあたり、手前ノズル４ａから吹き出す空気２２は手の平側に当たる。
【００１９】
なお、図２に示すように機体外郭２０の内部において、吸込空気はフィルター１０、吸込風路１１を介し、電動送風機３に吸い込まれ、吐出風路１２から吐出空気室１３を介してノズル４から吹き出される。
【００２０】
図１に示すように乾燥室２には、手を検知する人感センサー１４がある。手が手挿入口１から乾燥室２内に挿入されたことを検出して、図２に示す電動送風機３の運転が開始される。また、乾燥室２から手が抜かれたことを検出して、電動送風機３の運転が終了する。
【００２１】
このような構成によって、図２に示すように手前ノズル４ａから吹き出した空気２２の一部は手の平に当った後、乾燥室２の底面６方向に流れる。そして、図４に示すように空気２２は、底面６に衝突した後に反転して手挿入口１方向に流れ、突出部５の底壁５ｅに当たり、突出部５の左側壁５ｃ、右側壁５ｄ側に流れる。そのため、突出部５よりも上方へ向かう空気２２が遮断される。このとき、手から飛散した水滴も突出部５の上方への飛散が遮断される。
【００２２】
また図２に示すように奥ノズル４ｂから吹き出した空気２２の一部は、手の甲に当って反転し、乾燥室２の奥側の壁面２ｂの方向に流れる。そして図４に示すように空気２２は、底面６側から上昇し、突出部５の底壁５ｅに当たった空気２２と合流して、突出部５の左側壁５ｃ、右側壁５ｄと空間７とに沿って乾燥室２の外に向かう。
【００２３】
このように突出部５は、乾燥室２の底面６側から上方へ向かう空気２２を遮断し、空間７から空気２２が抜けるように作用する。そのため、手乾燥装置が設置される壁面への水滴付着がなくなる。
【００２４】
また、図３に示す手前ノズル４ａの数は奥ノズル４ｂの数より多くしている。そのため手前ノズル４ａから吹き出す空気２２の量が多くなるので、乾燥室２内では奥側の壁面２ｂ側に空気２２が流れる。従って、図４に示す奥側の壁面２ｂに沿って流れる空気２２は、突出部５の底壁５ｅに当たって内壁面２ｃ、２ｄ側から抜けやすくなっている。
【００２５】
なお本実施の形態では手前ノズル４ａの数は奥ノズル４ｂの数よりも多くし、ノズル４から出る風量に差を設けた。しかし、手前ノズル４ａの穴径が拡大されたり、丸穴の代わりに長穴などの形状に変更して風量に差を設けてもその作用効果に変わりはない。
【００２６】
また図４に示すように突出部５の左側壁５ｃ、右側壁５ｄは、上部に向かうに従って外側に傾斜している。すなわち左側壁５ｃから右側壁５ｄまでの長さは、突出部５の下部から上部に向かうに従って長くなっている。そのため、乾燥室２の奥側の壁面２ｂに流れた空気２２は、突出部５の左側壁５ｃ、右側壁５ｄの傾斜に沿って流れ、空間７に向かいやすくなる。その結果、乾燥時間が維持されつつ、使用者および設置した壁面に空気２２と水滴との吹き返しが少なくなる。
【００２７】
また図４に示すように突出部５の天面５ｂは、手前から奥に向かうに従って上方に傾斜している。すなわち天面５ｂは、奥側の壁面２ｂから下る傾斜を有している。そして図２に示すように天面５ｂと奥側の壁面２ｂとの接合部５ａは、屈曲している。すなわち接合部５ａにおいて、天面５ｂと奥側の壁面２ｂとは、空気２２の勢いが減衰するよう９０°〜１２０°の所定の角度を有して折れ曲がるように接続されている。
【００２８】
このような構成により、奥ノズル４ｂから吹き出した空気２２の一部は手に当たって反転し、乾燥室２の奥側の壁面２ｂの方向に流れる。その空気２２の一部は、突出部５の天面５ｂに沿って流れ、接合部５ａの屈曲した部分に当たると、空気２２の向きが手挿入口１である上方に変わり、かつ空気２２の勢いが急速に減衰される。その結果、乾燥時間が維持されつつ、設置した壁面に空気２２および水滴の吹き返しがさらに少なくなる。
【００２９】
また図２に示すように奥ノズル４ｂは、手前ノズル４ａよりも下方に吹き出す。そのため、奥ノズル４ｂからの空気２２は手前ノズル４ａよりも下方に流れる。その後、空気２２は乾燥室２の手前側の壁面２ａの下方向に向かって流れ、乾燥室２の底面６において反転し、乾燥室２の奥側の壁面２ｂを上昇する。そして空気２２は、突出部５の底壁５ｅに遮られて、図４に示す空間７から乾燥室２の外に向かう。すなわち図２に示す奥ノズル４ｂから吹き出した空気２２は、手前側の壁面２ａに衝突したときに、手前ノズル４ａから吹き出す空気２２に遮られて下方に向きを変えられる。従って、手前側の壁面２ａから上方に吹き出す空気２２の量が抑えられる。そのため、使用者への空気２２および水滴の吹き返しが、さらに少なくなる。
【００３０】
次に突出部５の構成について、図５〜図７を用いて説明する。
【００３１】
図５は本発明の実施の形態の手乾燥装置の上部の部分斜視図、図６は同手乾燥装置のノズル部の側面断面図ならびに拡大図、図７は同手乾燥装置のノズル部の正面図である。図５、図７に示すように突出部５は、断面がほぼ三角形状の本体部分と周囲に張り出したフランジ１５とから構成されている。そして奥側の壁面２ｂには、突出部５を挿入するための開口１７が設けられている。また乾燥室２の裏側には、フランジ１５と接触するためのスペースが設けられている。フランジ１５の乾燥室２と接触する面には、溶着するための突起１６がフランジ１５の全周に設けられている。
【００３２】
開口１７における断面である図６に示すように突出部５は、開口１７より、乾燥室２内に向け挿入される。突起１６と、乾燥室２の裏側とが超音波溶着あるいは熱溶着により溶解、接合されて密着され、突出部５は乾燥室２と一体化される。なお、乾燥室２と突出部５とは、溶着を可能にするため樹脂から形成されている。
【００３３】
その際、溶解した樹脂が開口１７から乾燥室２側に飛び出してくるのを防止するために、奥側の壁面２ｂと突出部５との間にできた隙間２５から突起１６までの距離Ａを０．５ｍｍ以上とする。本実施の形態では、距離Ａは１．５ｍｍである。
【００３４】
また、本実施の形態では突起１６を２つ設けているが、ノズル４の大きさ、または溶着範囲によっては１つでも良い。
【００３５】
そして突起間距離Ｃは、０．５ｍｍ以上とする。本実施の形態では、突起間距離Ｃは１ｍｍである。また、突起１６の断面の幅Ｂは０．２ｍｍ以上、高さＤは０．２ｍｍ以上とする。本実施の形態では、突起１６は幅Ｂが０．５ｍｍ、高さＤが１ｍｍの三角形状である。
【００３６】
そのため、突出部５と乾燥室２との隙間２５および段差に空気２２が衝突した時に発生する空気２２の乱れがなくなる。その結果、乾燥時間が維持されつつ、使用者に空気２２および水滴の吹き返しがさらになくなり、隙間２５からの空気２２の漏れが防止される。
【００３７】
なお、溶着のバラツキによる空気２２の漏れ、および溶着設備がない場合を考えると以下のようにすればよい。すなわち突出部５のリブ１８がフランジ１５より吐出空気室１３側に伸ばされ、かつ開口１７の外周の吐出空気室１３側にリブ１９が設けられる。そして突出部５が開口１７より、乾燥室２に向け挿入される。その後にリブ１８とリブ１９との間に全周に渡り形成される凹部に、接着剤が充填され空気２２の漏れが防止される。
【００３８】
なお、乾燥室２から突出部５より下方に手が挿入されたとき、手の甲側は突出部５の下方の空間に挿入される。突出部５よりも下には、奥行き方向に大きく空間が形成されるため、乾燥時間が維持されつつ、手乾燥装置が設置される壁面への水滴付着が少なくなるとともに乾燥室２に手が触れなくなる。
【産業上の利用可能性】
【００３９】
本発明の手乾燥装置は手の乾燥以外に、ノズルを用いた設備乾燥機器、すなわち短時間で物体を乾燥させる工業用の乾燥用途にも適用できる。
【符号の説明】
【００４０】
１    手挿入口
２    乾燥室
２ａ    手前側の壁面
２ｂ    奥側の壁面
２ｃ，２ｄ    内壁面
３    電動送風機
４    ノズル
４ａ    手前ノズル
４ｂ    奥ノズル
５    突出部
５ａ    接合部
５ｂ    天面
５ｃ    左側壁
５ｄ    右側壁
５ｅ    底壁
６    底面
７    空間
１０    フィルター
１１    吸込風路
１２    吐出風路
１３    吐出空気室
１４    人感センサー
１５    フランジ
１６    突起
１７    開口
１８，１９    リブ
２０    機体外郭
２１    外部
２２    空気
２５    隙間
【図１】
2013190792.tif 000003
【図２】
2013190792.tif 000004
【図３】
2013190792.tif 000005
【図４】
2013190792.tif 000006
【図５】
2013190792.tif 000007
【図６】
2013190792.tif 000008
【図７】
2013190792.tif 000009
【国際調査報告】
2013190792.tif 000010
2013190792.tif 000011
2013190792.tif 000012
2013190792.tif 000013